(57)【要約】  スープ類の攪拌装置に於いて、ケース状機体１の上壁１ｂに所定間隔を有して左右一対の垂直板２２を固定し、一方、これらの垂直板２２に対向するように駆動箱１５の底壁３１の内壁面に所定間隔を有して左右一対の支持板２３を固定し、これらの支持板２３及び垂直板２２に、少なくとも駆動箱１５が垂直状態の初動時から水平状態へと回転する際に、その回転に抵抗を与える左右一対のダンパー２４をそれぞれ装着し、さらに、駆動箱１５が水平状態になったとき、該駆動箱１５の底壁３１を支持することができるようにケース状機体１の前壁１ａの上端部に所定間隔を有して左右一対の受け片２７を固定したこと。
2010052793.tif 000002
【特許請求の範囲】
【請求項１】
ケース状機体と、このケース状機体の前壁の中央部或いは中央部寄りの部位に水平方向に固定された環状支持体と、この環状支持体に嵌合自在に支持され、かつスープ類を収納するホッパーと、該ホッパーの上蓋に回転自在に垂下され、かつ前記スープ類を攪拌する攪拌羽根を有する回転軸と、前記機体の上壁に回転自在に軸支され、かつ駆動軸が前記回転軸の上端部に接続する攪拌用駆動モータを内蔵する駆動箱とを備えたスープ類の攪拌装置に於いて、前記ケース状機体の上壁に所定間隔を有して左右一対の垂直板を固定し、一方、これらの垂直板に対向するように前記駆動箱の底壁の内壁面に所定間隔を有して左右一対の支持板を固定し、これらの支持板及び前記垂直板に、少なくとも前記駆動箱が垂直状態の初動時から水平状態へと回転する際に、その回転に抵抗を与える左右一対のダンパーをそれぞれ装着し、さらに、前記駆動箱が水平状態になったとき、該駆動箱の底壁を支持することができるように前記ケース状機体の前壁の上端部に所定間隔を有して左右一対の受け片を固定したことを特徴とするスープ類の攪拌装置。
【請求項２】
請求項１に於いて、ケース状機体の上壁には、複数本のケーブルをケース状機体の内部から駆動箱の内部へと引き出すための案内筒が固定され、該案内筒の突出部分は、前記駆動箱の底壁に形成した長孔状の切欠を貫通して駆動箱の内部に常に位置付けられていることを特徴とするスープ類の攪拌装置。
【請求項３】
請求項１に於いて、ダンパーは、ケースが支持板の内側に位置するように該支持板に水平状態に固定され、また、前記ケースから突出する横軸の外端部が垂直板に支持されていることを特徴とするスープ類の攪拌装置。
【請求項４】
請求項１に於いて、駆動箱の底壁の先端部或いは先端部寄りの部位には開口が形成され、また、前記底壁の内壁面には前記開口と連通する収納部を有する支持台が固定され、また、前記支持台には攪拌用駆動モータが縦方向に固定され、さらに、該攪拌用駆動モータの駆動軸の突出端部には、前記収納部内に位置付けられ、かつ回転軸の上端部に一体的に設けられた下側凹凸嵌合部材と嵌合する上側凹凸嵌合部材が一体的に設けられていることを特徴とするスープ類の攪拌装置。
【請求項５】
請求項１に於いて、支持板の外壁面にはスイッチが取付けられ、該スイッチは、駆動箱の底壁が左右一対の受け片に支持されたときに「ＯＮ」になることを特徴とするスープ類の攪拌装置。
【請求項６】
請求項１に於いて、少なくとも駆動箱の底壁の外壁面には、左右一対の磁性体が固定されていることを特徴とするスープ類の攪拌装置。
【発明の詳細な説明】
【技術分野】
【０００１】
本発明は、スープ類の攪拌装置に関し、特に、具入りスープ類を定量ずつ供給するスープ類の攪拌装置に関する。
【背景技術】
【０００２】
特許文献１にはスープ類の攪拌装置を含む冷却装置が記載されている。このスープ類の冷却装置には、スープ類を一定量ずつ供給するポンプ及びポンプ用駆動源を備えた機体と、前記ポンプに取外し可能にセットされるホッパーと、このホッパーの周りの一部と直接面接触する冷却板を含む電子冷却素子体とを有し、かつ前記機体に一体的に設けられた環状支持体と、この環状支持体或いは前記機体に設けられ、かつ前記冷却ユニットに配線を介して電源を供給する制御部とから成り、前記冷却ユニットは、前記環状支持体の内部空間に周方向に所要間隔を有して複数個配設されている。このスープ類の冷却装置は、ホッパー内にスープ類を入れて冷却し、一般の需要者に一定量ずつ供給することを目的とする。【０００３】
また、スープ類の攪拌装置は、ケース状機体と、このケース状機体の前壁の中央部或いは中央部寄りの部位に水平方向に固定された環状支持体と、この環状支持体に嵌合自在に支持され、かつスープ類を収納するホッパーと、該ホッパーの上蓋に回転自在に垂下され、かつ前記スープ類を攪拌する攪拌羽根を有する回転軸と、前記ケース状機体の上壁に回転自在に軸支され、かつ駆動軸が前記回転軸の上端部に接続する攪拌用駆動モータを内蔵する駆動箱とを備えている。このスープ類の攪拌装置は、例えば具入りスープを攪拌して下方の定量ポンプに自然に流すことを目的としている。【０００４】
特許文献２には、具入りスープ類の小分け装置が記載されている。この小分け装置は、（ａ）具入りスープを収納するホッパーと、（ｂ）このホッパーの外壁面側からホッパー内の具入りスープを加熱することができるようにホッパーカバーに内に配設された加熱手段と、（ｃ）前記具入りスープを攪拌することができるようにホッパーの下方に連設する筒状内弁内に設けられた攪拌手段と、（ｄ）前記筒状内弁の下方に前記ホッパーの下端開口に連通するように配設された定量筒体、（ｅ）該定量筒体に入り込んだ具入りスープを一定量ずつ供給する押し出し棒をそれぞれ備えたプランジャー型ポンプと、（ｆ）プランジャー型ポンプや前記各部をそれぞれ適宜箇所にセットするための機体とから成る技術が開示されている。【０００５】
特許文献１の攪拌用駆動モータを内蔵する駆動箱は、垂直の軸受け板、横軸等の枢軸部を介して開閉する。すなわち、駆動箱はケース状機体の上壁の先端部に蝶番を介して軸支され、使用時、駆動箱はホッパーの上蓋から離れた状態（垂直状態）からその底壁がホッパーの上蓋に重なる状態（水平状態）へと回転する。しかし、特許文献１は、駆動箱の回転に抵抗を与えるために、例えば前記枢軸部にダンパーを設けていないので、使用時、駆動箱を慎重に降ろさなければならないので面倒である、駆動箱の重量が上蓋にかかる等の問題点があった。また、配線用の引き出し・保持手段が存在しないので、攪拌用駆動モータに対する配線が容易でないという問題点があった。【０００６】
一方、特許文献２は、スープ類を攪拌することができるというものの、攪拌用駆動モータは、ケース状機体の前壁に配設されているので、本願発明とは基本的構成が異なる。【０００７】
なお、特許文献３には、ケースにバネ部材、該バネ部材のバネ力に抗して軸方向へ移動可能なスライダー等を有する扉用回転ダンパーが記載されている。また、特許文献４には、「粘性流体を回転体の抵抗手段とするロータリーダンパー」が記載されている。しかし、これらの文献には、スープ類の攪拌装置の駆動箱の左右の枢軸部にダンパーをそれぞれ装着できる旨の記載がない（動機付けがない）。
【特許文献１】特開２００５−２５３３５５号公報
【特許文献２】特許第３２６７９６４号公報
【特許文献３】特開平１０−８８８９９号公報
【特許文献４】特開平７−３１７８２０号公報
【発明の開示】
【発明が解決しようとする課題】
【０００８】
本発明の所期の目的は、特許文献１に記載のスープ類の攪拌装置の基本的な構成を応用しつつ、特許文献１の問題点を解消することである。付言すると、本発明の第１の目的は、ケース状機体の上壁に回転自在に設けた駆動箱の回転に抵抗を与えて、駆動箱のセット時におけるホッパーに対する衝撃の防止を図ると共に、駆動箱の重量をホッパーに与えないようにすることである。第２の目的は、駆動箱内の攪拌用駆動モータに対する配線の容易化を図ることである。第３の目的は、駆動箱用のダンパーが駆動箱から露出しないようにすることである。第４の目的は、攪拌用駆動モータの駆動軸及び該駆動軸に取付けた上側凹凸嵌合部材が駆動箱の底壁から突出しないことである。第５の目的は、駆動箱をホッパーの上蓋に対して水平状態にセットした時、例えば攪拌用駆動モータを使用するためのスイッチがＯＮの状態になることである。その他、駆動箱をホッパーの上蓋に対して水平状態にセットした時、駆動箱がケース状機体に安定的に支持されることである。
【課題を解決するための手段】
【０００９】
本発明のスープ類の攪拌装置は、ケース状機体と、このケース状機体の前壁の中央部或いは中央部寄りの部位に水平方向に固定された環状支持体と、この環状支持体に嵌合自在に支持され、かつスープ類を収納するホッパーと、該ホッパーの上蓋に回転自在に垂下され、かつ前記スープ類を攪拌する攪拌羽根を有する回転軸と、前記機体の上壁に回転自在に軸支され、かつ駆動軸が前記回転軸の上端部に接続する攪拌用駆動モータを内蔵する駆動箱とを備えたスープ類の攪拌装置に於いて、前記ケース状機体の上壁に所定間隔を有して左右一対の垂直板を固定し、一方、これらの垂直板に対向するように前記駆動箱の底壁の内壁面に所定間隔を有して左右一対の支持板を固定し、これらの支持板及び前記垂直板に、少なくとも前記駆動箱が垂直状態の初動時から水平状態へと回転する際に、その回転に抵抗を与える左右一対のダンパーをそれぞれ装着し、さらに、前記駆動箱が水平状態になったとき、該駆動箱の底壁を支持することができるように前記ケース状機体の前壁の上端部に所定間隔を有して左右一対の受け片を固定したことを特徴とする。【００１０】
上記構成に於いて、ケース状機体の上壁には、複数本のケーブルをケース状機体の内部から駆動箱の内部へと引き出すための案内筒が固定され、該案内筒の突出部分は、前記駆動箱の底壁に形成した長孔状の切欠を貫通して駆動箱の内部に常に位置付けられていることを特徴とする。また、ダンパーは、ケースが支持板の内側に位置するように該支持板に水平状態に固定され、また、前記ケースから突出する横軸の外端部が垂直板に支持されていることを特徴とする。また、駆動箱の底壁の先端部或いは先端部寄りの部位には開口が形成され、また、前記底壁の内壁面には前記開口と連通する収納部を有する支持台が固定され、また、前記支持台には攪拌用駆動モータが縦方向に固定され、さらに、該攪拌用駆動モータの駆動軸の突出端部には、前記収納部内に位置付けられ、かつ回転軸の上端部に一体的に設けられた下側凹凸嵌合部材と嵌合する上側凹凸嵌合部材が一体的に設けられていることを特徴とする。また、支持板の外壁面にはスイッチが取付けられ、該スイッチは、駆動箱の底壁が左右一対の受け片に支持されたときに「ＯＮ」になることを特徴とする。【００１１】
その他、少なくとも駆動箱の底壁の外壁面には、左右一対の磁性体が固定されていることを特徴とする。【００１２】
ここで「スープ類」とは、流動体（普通一般のスープ）のみならず、半流動体（カレーなど）も含むことをいう。
【発明の効果】
【００１３】
（ａ）ケース状機体の上壁に回転自在に設けた駆動箱の回転に抵抗を与えて、駆動箱のセット時におけるホッパーに対する衝撃の防止を図ると共に、駆動箱の重量をホッパーに与えないようにすることができる。
（ｂ）実施例によっては、配線を機体内から駆動箱内に容易に引き出すことができると共に、引き出した配線を、例えば攪拌用駆動モータに容易に接続することができる。したがって、配線作業が楽である。
（ｃ）実施例によっては、駆動箱用のダンパーが駆動箱から露出しないので、管理、運搬及び使用時、ダンパーのケースや軸が邪魔にならない。
（ｄ）実施例によっては、攪拌用駆動モータの駆動軸の嵌合部材の形態を、所望の大きさ及び凹凸面にすることができる。したがって、攪拌羽根を有する回転軸の嵌合部材も所望の大きさ及び凹凸面にすることができるができるので、駆動箱のセット時における前記駆動軸と回転軸との嵌合の確実化を図ることができる。
（ｅ）実施例によっては、駆動箱のセット時、直ちに攪拌用駆動モータが使用可能な状態となる。付言すると、駆動箱を開いたとき（垂直状態）、不注意により操作パネルを操作しても、攪拌用駆動モータが起動することがない。
（ｆ）実施例によっては、駆動箱をホッパーの上蓋に対して水平状態にセットした時、駆動箱がケース状機体に安定的に支持される。
【図面の簡単な説明】
【００１４】
図１乃至図１６は本発明の第１実施例を示す各説明図。
【図１】左側面視からの概略説明図。
【図２】正面視からの概略説明図。
【図３】駆動箱本体と底壁が分離している主要部（駆動箱、機体の受け片など）の斜視からの説明図。
【図４】要部（ホッパー、回転軸）の分解斜視図。
【図５】主要部（駆動箱、機体の受け片など）の斜視図。
【図６】図５の６−６線概略断面説明図。
【図７】要部（垂直板、受け片、案内筒）の斜視図。
【図８】要部（案内筒、ケーブル）の概略断面説明図。
【図９】要部（垂直板）の説明図。
【図１０】主要部の説明図（ダンパーは分離している）。
【図１１】主要部の一部概略断面説明図。
【図１２】主要部の平面視からの説明図。
【図１３】図１２の１３−１３線概略断面説明図（ダンパー等は省略）。
【図１４】ダンパーの斜視図。
【図１５】図１４の１５−１５線概略断面説明図。
【図１６】図１４の１６−１６線概略断面説明図。
【符号の説明】
【００１５】
Ｘ…スープ類の攪拌装置、Ｙ…スープ類の冷却又は誘導加熱装置、1…ケース状機体、１ａ…前壁、１ｂ…上壁、２…ポンプ、３…ポンプ用駆動源、４…制御部、５…ホッパー用環状支持体、６…ホッパー、７…連結手段、８…ホッパーの上蓋、９…回転軸、１５…駆動箱、１６…攪拌用駆動モータ、１７…上側凹凸嵌合部材、１８…下側凹凸嵌合部材、２１…枢軸部、２２…垂直板、２３…支持板、２４…ダンパー、２５…横軸、２６…ケース、２７…受け片、２８…案内筒、３１…底壁、３２…ケース本体、３４…第１の切欠、３５…第２の切欠、３６…開口、３７…収納部、３８…支持台、３９…ケーブル、４０…スイッチ、４１…磁性体。
【発明を実施するための最良の形態】
【００１６】
以下、図１乃至図１６に示す本発明を実施するための最良の形態により説明する。【００１７】
（１）発明の実施の環境…図１
図１は発明の実施の環境を示す概略説明図である。図１に於いて、Ｙはスープ類の攪拌装置Ｘを含む冷却又は誘導加熱装置である。ここでは、スープ類の攪拌装置Ｘが発明の主要部なので、他の構成部材に関しては、簡単に説明する。【００１８】
１は具入りスープ類を一定量ずつ供給するポンプ２及びポンプ用駆動源３を備えたケース状機体である。前記ポンプ２はケース状機体１の前壁に水平方向に突出するように設けられている。４はケース状機体１の内部に設けられた制御部で、この制御部４は各種の制御を行う。５はポンプの上方に位置するように前記機体１に一体的に設けられたホッパー用環状支持体（ホッパー受台）である。【００１９】
６は前記環状支持体５のすり鉢状環状壁に自在に嵌合するホッパーで、このホッパー６のすり鉢状部分（下方に先細り状円筒形部分）が前記すり鉢状環状壁に支持されると、ホッパー６の短筒状下端部は、前記環状支持体５の下面から突出し、該短筒状下端部は連結手段７を介してポンプ２の上方開口に着脱自在にセットされる。【００２０】
８はホッパーの上蓋で、この上蓋８には回転軸９が回転自在に垂下されている。１５はケース状機体１の上壁の先端部（前壁側）に左右一対のダンパー２４を含む枢軸部（後述）２１を介して回転自在に設けられた駆動箱で、この駆動箱１５は攪拌用駆動モータ１６を内装している。【００２１】
駆動箱１５は、図１の実線で示すように、駆動箱１５が上蓋８に対して水平状態となったとき（上蓋８の回転軸９に対する接続時）、その基端部１５ａの一部を除き、基端部寄りの部位から先端部１５ｂまでケース状機体１の前壁１ａから水平状態に突出する。そして、駆動箱１５のセット時、駆動モータ１６の出力軸１６ａと、回転軸９の突出上端部は、それぞれ対向縁部の周方向に凹凸を有する上下の嵌合部材１７、１８を介して嵌合自在に連結する。【００２２】
スープ類の攪拌装置Ｘは、ケース状機体１と、このケース状機体の前壁１ａの中央部或いは中央部寄りの部位に水平方向に固定された環状支持体５と、この環状支持体に嵌合自在に支持され、かつスープ類を収納するホッパー６と、該ホッパーの上蓋８に回転自在に垂下され、かつ前記スープ類を攪拌する攪拌羽根１１を有する回転軸９と、前記ケース状機体１の上壁１に回転自在に軸支され、かつ駆動軸１６ａが前記回転軸９の上端部に接続する攪拌用駆動モータ１６を内蔵する駆動箱１５とを備えていることを前提とする（特許文献１と基本的構成は同じ）。【００２３】
（２）ケース状機体１…図１、図２
図１及び図２を参照にしてケース状機体１を説明する。ケース状機体１は不番の下部支持台を有している。ケース状機体１の内部空間には、電源用基板４ａを有する制御部４が設けられている。電源用基板４ａは、コードを介して商業電源（交流）１９と接続可能である。【００２４】
（３）ポンプ２…図１、図２
ポンプ２は、外筒（外弁）と、回動内筒（内弁）とを有するプランジャー型ポンプある。ポンプ２の構成は、本願発明の特定要件ではないので、説明を割愛する。【００２５】
（４）ホッパー６…図３
ホッパー６は、ポンプ２の吸引孔（上方開口）に連結手段７を介して着脱自在に取付けられる。図４で示すように、ホッパー６は、例えば磁性金属材料で「じょうご状」に成形されている。ホッパー６の形状は、特許文献１と同じである。したがって、本実施例のホッパー６は、上端部が大きく開口する長筒状部６ａと、この長筒状部６ａの下端部に連設するすり鉢状部分６ｂと、このすり鉢状部分６ｂに連設する小さい開口の短筒状部分６ｃとから成り、前記短筒状部分６ｃには、連結用のフランジ部が周設されている。なお、連結手段７及び環状支持体５の構成は割愛する。【００２６】
（５）上蓋８、回転軸９…図３
上蓋８はホッパー６の上端部に嵌着自在に装着される。また、回転軸９は、上蓋８の上面に位置する下側嵌合部材１８を介して該上蓋８に回転自在に垂下されている。回転軸９には、例えば具入りスープを攪拌する攪拌羽根１１と、該攪拌羽根１１より下方位置にホッパー６のすり鉢状部分６ｂの内周面を摺接するバネ性の樹脂片１２ａを有する焦げ付き防止用羽根１２と、具をポンプ２の上方開口側に押し込む押し込み羽根１３とがそれぞれ設けられている。攪拌羽根１１等の具体的構成の説明は割愛する。【００２７】
（６）攪拌装置Ｘの特徴部分…図４乃至図１３
本発明のスープ類の攪拌装置Ｘは、ケース状機体１の上壁１ｂに所定間隔を有して左右一対の垂直板２２を固定し、一方、これらの垂直板２２に対向するように前記駆動箱１５の底壁３１の内壁面に所定間隔を有して左右一対の支持板２３を固定し、これらの支持板２３及び前記垂直板２２に、少なくとも前記駆動箱１５が垂直状態の初動時から水平状態へと回転する際に、その回転に抵抗を与える左右一対のダンパー２４をそれぞれ装着し、さらに、前記駆動箱１５が水平状態になったとき、該駆動箱１５の底壁３１を支持することができるように前記機体１の前壁１ａの上端部に所定間隔を有して左右一対の受け片２７を固定したことを特徴とする。以下、本願発明の特定要件及び関連する部材を説明する。【００２８】
（７）枢軸部２１
本発明の「枢軸部２１」は、機体１の上壁１ｂに所定間隔を有して固定された左右一対の垂直板２２と、駆動箱１５を構成する底壁３１の内壁面の後端部に所定間隔を有して固定された左右一対の支持板２３と、これらの支持板２３及び前記垂直板２２にそれぞれ装着され、少なくとも前記駆動箱１５が垂直状態の初動時から水平状態へと回転する際に、その回転に抵抗を与える左右一対のダンパー２４とから成る。【００２９】
枢軸部２１の横軸は、例えば垂直板２２の異径の支持穴に支持されるダンパー２４の軸（固定軸又は回転軸）２５である。本実施例では、ダンパー２４の横軸２５は、垂直板２１の支持穴２２ｃに固定的に支持される横軸なので、該横軸２５が開閉動作する駆動箱１５の中心と成る。【００３０】
付言すると、底壁３１側の支持板２３の内面２３ａにはダンパー２４のケース２６が水平状態に固定されている。もちろん、ダンパー２４のケース２６を垂直板２２の外面に固定し、一方、ダンパー２４の横軸２５を支持板２３の円形軸孔に回転自在に軸支しても良い。本実施例では、駆動箱用のダンパー２１の横軸２５及びケース２６が駆動箱１５から露出しないように、該駆動箱１５内に位置付けられている。【００３１】
したがって、駆動箱１５は、ホッパー６の上蓋８の回転軸９に対するセット時、駆動箱１５に内装された左右一対の枢軸部２１の横軸２５を回転中心として、垂直状態から水平状態へと回転可能である。そして、駆動箱１５が水平状態になると、駆動箱１５は、ケース状機体１の受け片２７に支持される。【００３２】
（８）ケース状機体１の新規事項
図７で示すように、ケース状機体１の上壁１ｂの先端部には、所定間隔を有して左右一対の垂直板２２が固定されている。これらの垂直板２２は、図８で示すように、下端部にフランジ２２ａを有し、前記上壁１ｂを貫通している。上壁１ｂから突出した指先状の突出部分２２ｂには、ダンパー２４の横軸２５が嵌入する断面異径の支持穴２２ｃが形成されている。そして、突出部分２２ｂの上端部の縁には小突起２２ｄが形成され、該小突起２２ｄは、駆動箱１５の底壁３１がケース状機体１の受け片２７に支持されたときにスイッチ４０の可動接片４０ａを押圧する。【００３３】
また、ケース状機体１の前壁１ａの上端部には、その腕状の支持面２７ａが上壁１ｂと同一水平面に位置する左右一対の受け片２７が固定されている。これらの受け片２７は、駆動箱１５のセット時、駆動箱１５の底壁３１の外壁面をバランス良く支持する。【００３４】
さらに、本実施例では、上壁１ｂの先端部の中央部には、複数本のケーブル３９をケース状機体１の内部から駆動箱１５の内部へと引き出すためのパイプ状案内筒２８が固定され、該案内筒２８の突出部分２８ａは、前記駆動箱１５の底壁３１に形成した長孔状の第２の切欠３５を貫通して駆動箱１５の内部に常に位置付けられている。【００３５】
（９）駆動箱１５の新規事項
駆動箱１５は、底壁３１と、複数個の固着具及び取付け孔（図示せず）を介して取り外し可能に固定されるケース本体３２とから成る。前記底壁３１は、図５で示すように、水平ベース部分３１ａと、この水平ベース部分３１ａの後端部（折り曲げ部分及びその付近も含む）３１ｂに連続する垂直カバー部分３１ｃとから成る。底壁３１の横幅は、ケース状機体１の上壁１ｂの横幅を考慮して設定されている。また、底壁３１の突出方向の長さは、ホッパー６の上蓋８の位置を考慮して設定されている。本実施例では、駆動箱１５は、その底壁３１の先端部に手を掛けて持ち上げられるので、底壁３１は前記上蓋８を覆う大きさに形成されている。【００３６】
しかして、底壁３１の後端部３１ｂの左右には、ケース状機体１の左右の垂直板２２の突出部分２２ｂがそれぞれ貫通する長孔状の第１の切欠３４が形成されている。また、折り曲げ部分３１ｂを含む底壁３１の内壁面には、前記垂直板２２の内側に位置し、かつ該垂直板２２と一部が対向する左右一対の支持板２３が固定されている。支持板２３は垂直板２２よりも幅広である。また、図６で示すように縦断面Ｌ字状である。【００３７】
図１０、図１４等で示すダンバー２４は、そのケース２６のフランジ２６ａが支持板２３の内面２３ａに固定される。そして、ケース２６から突出する横軸（例えば固定軸）２５は支持板２３の軸孔を貫通し、かつ垂直板２２の支持穴２２ｃに支持されている。【００３８】
また、底壁３１の後端部３１ｂの中央には、ケース状機体１の案内筒２８が貫通する長孔状の第２の切欠３５が形成されている。さらに、図１１で示すように、底壁３１の先端部の中央部に或いは先端部寄りの部位には開口３６が形成されている。また、前記底壁３１の内壁面には前記開口３６と連通する収納部３７を有する支持台３８が固定されている。そして、前記支持台３８には攪拌用駆動モータ１６が縦方向に固定され、さらに、該攪拌用駆動モータ１６の駆動軸１６ａの突出端部には、前記収納部３７内に位置付けられ、かつ回転軸９の上端部に一体的に設けられた下側凹凸嵌合部材１８と嵌合する上側凹凸嵌合部材１７が一体的に設けられている。【００３９】
なお、前記案内筒２８からは複数本のケーブル３９がケース状機体１の内部から駆動箱１５の内部へと所要量引き出され、案内筒２８の上端縁で前記ケーブル３９を支持した状態で、攪拌用駆動モータ１６、スイッチ４０などに対して電気的接続が成される。【００４０】
（１０）付加的構成
ところで、本実施例では、支持板２３の外壁面はスイッチ（例えばマイクロスイッチ）４０が取付けられ、該スイッチ４０の可動接片４０ａは、駆動箱１５の底壁３１が左右の受け片２７に支持されたときに「ＯＮ」になる。また、少なくとも駆動箱１５の底壁３１の外壁面には、左右一対の磁性体４１が固定されている。なお、特に図示しないが、磁性体４１は、ケース本体３２の一側壁の外壁面にも固定しても良い。【００４１】
（１１）ダンパー２４
ダンパー２４は公知又は新規な構成を採用することができる。図１４乃至図１６はダンパー２４の一例を示す。ダンパー２４は、横軸２５、内壁面が多角形のケース２６等から成る。横軸２５は、その突出端部が垂直板２２の支持穴２２ｃに支持されているので、回転不可能である。これに対して、ケース２６は底壁３１の支持板２３の内面２３ａに固定されているので、横軸２５を回転中心として底壁３１と一緒に所定角度（垂直〜水平）まで回転可能である。【００４２】
しかして、４３はケース２６内に移動可能に設けられ、かつ横軸２５が貫通するスライダー、４４はスライダー４３の垂直面とケース２６の底部２６ｂの内壁面との間に設けられ、かつ前記スライダー４３を所定方向に付勢する付勢手段（コイルスプリング）、４５はスライダー４３の直径方向の溝４３ａ内に担持され、横軸２５の周面の螺旋溝２５ａに嵌められたボールである。【００４３】
上記構成に於いて、左右一対のダンパー２４は、駆動箱１５が垂直状態の初動時から水平状態へと回転する際に、その回転に抵抗を与える。付言すると、ケース２６が回転するとき、螺旋溝２５ａに沿って移動するボール４５によってスライダー４３がケース２６の底部２６ｂの方へ直線移動するので、コイルスプリング４４が圧縮される。したがって、駆動箱１５は閉じる方向へ回転するにつれて、その回転に大きな抵抗を受ける。
【実施例】
【００４４】
本実施例のダンパー２４は、付勢手段（コイルスプリング）４４を用いたが、ダンパー２４の構成を適宜に設計変更して、回転部材に粘性流体の抵抗を与えても良い。また、本実施例では、ポンプはプランジャー型であるが、これは一例に過ぎない。ポンプはプランジャー（押し出し棒）を有しないものであっても良い。付言すると、空気抜き孔を有する回動内弁が駆動源の駆動力で１８０度回転し、該回動内弁の開口と外弁の吐出孔（下方開口）が連通状態になった場合に於いて、回動内弁内のスープ類が自重で自然に流れるポンプであっても良い。
【産業上の利用可能性】
【００４５】
本発明は、スープ類を攪拌しつつ、又は攪拌した後にポンプを介して一定量ずつ供給する場合に適合する。
【図１】
2010052793.tif 000003
【図２】
2010052793.tif 000004
【図３】
2010052793.tif 000005
【図４】
2010052793.tif 000006
【図５】
2010052793.tif 000007
【図６】
2010052793.tif 000008
【図７】
2010052793.tif 000009
【図８】
2010052793.tif 000010
【図９】
2010052793.tif 000011
【図１０】
2010052793.tif 000012
【図１１】
2010052793.tif 000013
【図１２】
2010052793.tif 000014
【図１３】
2010052793.tif 000015
【図１４】
2010052793.tif 000016
【図１５】
2010052793.tif 000017
【図１６】
2010052793.tif 000018
【国際調査報告】
2010052793.tif 000019
2010052793.tif 000020
2010052793.tif 000021
2010052793.tif 000022